(57)【要約】      （修正有）【課題】自然悪環境、人的悪環境（日陰や無雨水のデッドスペース、酸性雨、放射能等）、自然災害、人的災害、虫害、鳥害、獣害等の影響を受けず、且つ莫大な建設費を掛けずに低エネルギーの低コストで、無農薬で新鮮な野菜や果物等の高品質農産物が安定して周年消費者に供給する。【解決手段】自然の悪気象や悪環境など５０年に一度や想定外の今まで経験したことのない災害も回避することができるトンネルを活用したシェルター・トンネルハウスＴ１で、植物の生育環境を制御して栽培を行い、安全な食料の供給と食材の周年供給できる植物工場とする。更にＩＣＴ（情報通信技術）を活用した環境保全型の農業生産で完全ＩＴ制御栽培システムとしたスマートアグリとする。【選択図】図１
2016021879.tif 000002
【特許請求の範囲】
【請求項１】
植物を栽培するハウス栽培を自然悪環境、人的悪環境、自然災害、人的災害、人的汚染の被害を受け難い隔離された平地トンネル、山岳トンネル、海底（含湖・河川）トンネル、水中トンネル、砂漠トンネルまたは地上のトンネルの建造物の中で露地栽培、水耕栽培、人工培地栽培、施設園芸に於いて、
●土壌（培地）は、自然土壌、人工土壌、栽培液、放射能遮断土壌又は放射能吸収土壌材、
●肥料は、有機肥料、化学肥料、無肥料状態（肥料を与えない状態）、
●空気は、自然大気、人工大気（含有元素の割合とその濃度を変えたもの）、
●光は、自然光（太陽光）、人工光、無光状態（光を当てない状態）、
●水は、自然水、培養水、抗菌性金属イオン水、無水状態（水を与えない状態）、
●環境は、自然環境、人工環境、
を組み合わせて、又は組み合わせを変えながら周年計画で効率よく、安全で高品質の植物栽培することが出来ることを特徴としたスマートアグリも含めたシェルター・トンネルハウス栽培の植物工場。
【請求項２】
ソーラ発電パネルによる日陰と無雨水のデッドスペースの地下をシェルタートンネルハウス栽培にしたもので、植物栽培に必要な電力はソーラパネルで発電した電気を使い、植物栽培に必要な水はソーラパネルの降雨水を集め、貯水池に溜めて使用することを特徴とした請求項１のシェルター・トンネルハウス栽培の植物工場。
【請求項３】
豪雪地帯での積雪時期に植物栽培ができる請求項１のシェルター・トンネルハウス栽培の植物工場。
【請求項４】
放射能汚染地帯を放射能汚染から回避して放射能汚染のない植物栽培ができるトンネルハウス栽培とした請求項１のシェルター・トンネルハウス栽培の植物工場。
【発明の詳細な説明】
【技術分野】
【０００１】
本発明は、植物のトンネルハウス栽培の植物工場に関し、より詳言すれば、自然の悪気象や公害の悪環境を回避することができる閉鎖的なトンネル空間を活用したハウス栽培で、植物生育環境での単なるトンネルハウスの露地栽培から植物の生育環境を制御して栽培を行い、安全な食料の供給と食材の周年供給できる環境保全型の生産システムの植物工場、更にＩＣＴ（情報通信技術）を活用した農業生産で完全ＩＴ制御栽培システムとしたスマートアグリまでのシェルター・トンネルハウスの植物工場に関するものである。
【背景技術】
【０００２】
今後の世界の人口増加と生活水準の向上に伴って、数十年後には水不足と食糧難が予想され、紛争のもとになる事が懸念されている。幸い日本は、何処にでも草木は生えるので、穀物や野菜は栽培すれば収穫できる。しかし、日本はモンスーン気候で温湿度の変化が大きく毎年、台風、竜巻、豪雨、豪雪、霰、雹、霜、更に干ばつ、洪水、冷夏、暖冬等の異常気象や病害虫、放射能汚染、ＰＭ2.5などの被害も多くあり、また農業従事者の高齢化と過疎化のため、安定した食糧生産の対策と生産性向上が求められて、近年、ホウレン草、ミツバ、リーフレタス、シソのような葉菜や、トマト、キュウリなどの果菜のハウス栽培が多くおこなわれ、消費者に周年、安定して供給できるようになってきている。
【０００３】
このような条件下で、従来のハウス栽培は栽培目的によってビニールフイルムで覆った簡単なビニールハウスの露地栽培（例えば、特許文献１参照）から、高層建造物であるビルディングの中で栽培する植物工場（例えば、特許文献２参照）まであるが、津波対策のため高盛土して最上部を道路、鉄道とし、津波時には防波堤を兼ねて避難場所となる構築物の内部の空間に水槽と植物工場を設けて有効活用した土中空間でのハウス栽培も開示されている（例えば、特許文献３参照）。
【先行技術文献】
【特許文献】
【０００４】
【特許文献１】特開  ２００２−７８４２１号公報
【特許文献２】特開  平５−  ３０８８６０号公報
【特許文献３】特開  ２０１３−２８９１２号公報
【発明の概要】
【発明が解決しようとする課題】
【０００５】
しかしながら前述した特許文献１のビニールハウスに於いては、文献に「農作物を栽培したり、畜舎その他の用途に利用するビニールハウスなどのハウスを強風から効果的に保護する構造」と記載されているように、近年、地球温暖化で台風や竜巻の規模が大きくなり、農作物の被害も増してきているため、ビニールハウスの補強が必要であるという課題があった。
【０００６】
特許文献２の植物工場に於いては、建物の規模として文献に「地上１５０ｍ、地下９０ｍ」と高層ビルが、また「上階層でも土や水を多量に使用するため、それらの重量を十分に支えることができる構造」と、また地震等の揺れに弱いため「地震時や強風時の揺れを防ぐための制振装置を備える」と、更に「工場建物の基礎は、例えば、９０ｍの大深度まで掘り下げた直接基礎」や「材料としては軽量で強度があるものを使用するが、化学薬品が使用される部位等では耐薬品性のあるＣＥＲＣ（炭素繊維補強コンクリート）等」と記載されているように、設備規模が大きく、構造が複雑で建設費も高額になるという課題があった。
【０００７】
特許文献３に於いては、文献に「高盛土して構築された道路、鉄道などは防波堤と避難場所を兼ね、海岸近くに設ければ特にその効果は大きい。本願発明は避難場所の提供にある」とあり、更に「内部に区画された地下空間を設けたため、その各空間を倉庫、駐車場、植物工場に提供できる」と記載されているように、津波対策のために高盛土して作った防波堤兼避難所の構造物の最上部を道路、鉄道用とし、内部空間を植物工場として有効活用できるようにしたものであるため、ハウス植物栽培の場所が海岸近くの津波対策の防波堤に限定され、必要な場所で必要な植物のハウス栽培が出来ないという課題があった。
【０００８】
また従来のハウス栽培には、特許文献１、特許文献２、特許文献３のようなハウス設備に関係する課題の他に、地域的な課題もある。山岳地帯には、耕作地が少ないと共に、山間部では日当たりが悪く、更に獣害もあるため、ハウス栽培に適さずに林業が主産業になっている。海岸部や河川敷等の砂地、砂利地では植物が育ち難く、収穫量も少ないため、漁業や観光が主産業になっている。都市部では商業・工業と居住地区となっており、地価が高くて農地も少ないため、高額な高層の植物工場の傾向になっている。
【０００９】
また、雪国の豪雪地帯では、１０月から翌年の３月頃までの約半年間は農地が有っても積雪で耕作が出来ない耕作休眠期間となり、ハウス栽培も風雪に耐える高額な建造物の植物工場とする必要がある。更に、原子力発電所の周辺地域では、天災や人災による原子力発電所の放射能漏れの事故が発生した場合、ハウス栽培が被害を受けて栽培が出来なくなる可能性が高く、たとえ放射線量が少なくても風評被害等でハウス栽培の生産物も売れなくなる。実際に東日本大震災では福島第一原子力発電所で事故が起き、広範囲の放射性物質汚染被害と風評被害が現実となった。
【００１０】
このように日本の国土は、列島の脊梁と海岸に挟まれた狭い起伏に富んだ地形の立地条件であると共に、気象変化が激しくて自然災害や病虫害、公害等の被害を受けやすい環境下であるが、高品質で安全な野菜が何時でも、何処ででも地産地消で年中、安定的に効率よく生産供給できることが求められ、ハウス栽培の栽培方法や栽培システムは確立されつつある。しかし、現在、高品質での高生産性と生産コストの低減は両立しないという課題があり、また地理的な面からも自然環境や立地条件の課題もある。更に、ＰＭ2.5や放射能など人的な公害環境の課題もある。
【００１１】
本発明は、このような従来の課題を鑑みて、日本の農地が山岳地から河川流域の扇状地、丘陵地に広がった山、河川、丘に集落が含まれた不均一な土地であっても自然悪環境、人的悪環境（日陰や無雨水のデッドスペース、酸性雨、放射能等）、自然災害、人的災害、虫害、鳥害、獣害等の影響を受けず、且つ莫大な建設費を掛けずに低エネルギーの低コストで、無農薬で新鮮な野菜や果物等の高品質農産物が安定して周年消費者に供給できると共に、植物を効率的に栽培して農作業の省力化と農産物の生産性向上を図り、更に今後の食糧難と雇用にも寄与できる個人農家のトンネル露地栽培から企業の植物工場、更にスマートアグリまでのシェルター・トンネルハウス栽培を提供することを目的とする。
【課題を解決するための手段】
【００１２】
上記の課題を解決して目的を達成するために、従来のビニールハウス栽培から植物工場及びスマートアグリまでの植物栽培方法と植物栽培設備の課題をなくするために、
第一の発明のハウス植物栽培は、地上によるハウス栽培方法を自然悪環境、人的悪環境、自然災害、人的災害、人的汚染の被害を受け難い隔離された地下トンネル、山岳トンネル、海底（含湖・河川）トンネル、または地上のコンクリート枠トンネルの中での露地栽培や施設園芸の植物工場とスマートアグリに於いて、
土壌（培地）は、自然土壌、人工土壌、栽培液、放射能遮断又は吸収土壌材、
肥料は、有機肥料、化学肥料、無肥料状態（肥料を与えない状態）、
空気は、自然大気、人工大気（ＣＯ2濃度など含有元素の割合を変えたもの）、
光は、自然光、人工光、無光状態（光を当てない状態）、
水は、自然水、培養水、抗菌性金属イオン水、無水状態（水を与えない状態）、
放射能吸収材は、セルロースとゼオライト混合、
環境は、自然環境、人工環境、
を組み合わせて、又は組み合わせを変えながら周年計画で効率よく、安全で高品質の植物栽培することが出来ることを特徴としたシェルター・トンネルハウス栽培。
【００１３】
第二の発明は、ソーラ発電パネルによる日陰デッドスペースの地下や高速道路の地下など人工的建造物の悪環境地を植物栽培の地下トンネルハウスとした請求項１のシェルター・トンネルハウス栽培。
【００１４】
第三の発明は、豪雪地帯での積雪時期に植物栽培ができる請求項１のシェルター・トンネルハウス栽培。
【００１５】
第四の発明は、放射能汚染地帯を放射能汚染から回避して放射能汚染のない植物栽培ができるトンネルハウスとした請求項１のシェルター・トンネルハウス栽培。
【００１６】
このように本願のシェルター・トンネルハウス栽培では、トンネル内に自然環境を取り入れた簡単なるトンネル露地栽培から土壌、肥料、大気、光、水、環境の各種を組み合わせた高度技術の大規模植物工場。更に、ＩＴ制御技術を加えたスマートアグリでの植物栽培まで行うことが出来る。
【発明の効果】
【００１７】
国土の有効活用として、シェルター・トンネルハウスの植物工場であると、地理的、気象的、環境的な影響を受けないために、山岳地、河川地、海岸、寒冷地、熱帯地、豪雪地、乾燥地、湿地帯、都市部、砂漠、そして農地を潰している高速道路の地下やソーラーパネル等の日陰や無雨水のデッドスペースなど何処ででも植物栽培ができる。従って、山岳地帯の山林や過疎化が進む豪雪地帯、更に放射能汚染地帯や不毛地帯（世界的には砂漠）が有望な植物生産工場地帯になり、国土の有効利用ができる。
【００１８】
耐震性や空調についても、シェルター・トンネルハウスにすることにより、高層ビル構造の植物工場を地下や地表でトンネル構造の平面展開した建造物であり、高層建造物特有の長周期地震動は起こらず、耐震性が飛躍的に高かまる。また、地下は温度変化の幅が小さいため、空調効果も大きい。
【００１９】
栽培植物の安全性は、シェルター・トンネルハウスの植物工場にすることにより、トンネルハウスの施設は密室状態にすることができるため、病原菌や害虫の侵入を防ぐことができ、それらを予防・駆除するための農薬の散布も不必要であり、無農薬による安全で安心な植物の栽培が可能となるため、安全な植物の提供ができる。
【００２０】
必要な植物が、必要なとき、必要な量については、植物の生育環境である光、温度、湿度、二酸化炭素（ＣＯ2濃度）、肥料、水分等の環境を制御して栽培を行う施設園芸とすることができるため、環境制御技術により、その植物の生育にとって最適な環境を作り出すことができ、生長促進と栽培期間の短縮で早期出荷が可能となり、年何数作もの周年生産計画で生育期間と生産量を調整することができるため、市場の要求に合わせて野菜を効率よくコントロールして収穫と出荷ができる。更に、連作障害も人工土壌によって起こさないようにすることができるため、連作が可能で凶作がなく、収穫量の増加と安定供給ができる。
【００２１】
高品質栽培については、光であるＬＥＤ光源の照射する色や照度と時間を制御することにより、植物に含まれる特定の機能成分の含有量をコントロールして提供することができることから、食味、薬用、栄養価、食感、見栄え等を向上させることができる。例えば、赤色光は光合成を促す効果、青色光は実や葉を大きく形成する効果で２４時間照射することができ、自然光栽培と比較して２倍以上の速さで生長する。また、ＬＥＤ光には害虫が近寄らず、防虫効果もある。
【００２２】
放射能汚染地帯については、シェルター・トンネルハウス栽培の植物工場にすることにより、大気中の放射線や大地の放射性物質から放射能遮断材であるコンクリートハウス壁で完全に隔離することができるため、放射能汚染されない。また、シェルター・トンネルハウス内での露地栽培を行う植物工場に於いては、シェルター・トンネルハウス内の露地培地が放射能汚染から隔離することができるように、放射性物質吸収剤からなる放射性物質吸収土壌材を大地１に層配置して放射性物質遮断層を設けると、放射性物質吸収土壌材の層よりシェルター・トンネルハウス内の大地１と露地培地は放射性物質がイオン交換等で吸着されるので放射能汚染されない。従って、栽培植物も放射能汚染されることはない。飯舘村等の復帰が決まった今、シェルター・トンネルハウス栽培は、今後の農業の復興対策につながる。また、新潟県の柏崎市や刈羽村のように、原子力発電所があり、且つ、冬期は雪が積もって耕作できない地域は、予めシェルター・トンネルハウス栽培の植物工場にしておくと、仮に放射性物質や放射線の漏れがあっても安心して農業生産活動ができる。また積雪にも関係なく周年安定した植物栽培が出来て一石二鳥で地域産業の発展にも繋がる。
【００２３】
栽培植物の多種多様化についても、シェルター・トンネルハウスの植物工場の培地として腐葉土等の土を用いて露地栽培を行うことにより、従来の植物工場の養液栽培によるリーフレタスなどの葉菜類や一部のハーブ類のみの栽培であったものが、根菜なども含めた全ての野菜が栽培できるような植物工場になる。なお、特許第５４２４４０８号のパルプ土壌を培地とすると土が不要で根菜も含めた栽培植物が汚れずに清潔栽培が出来る。
【００２４】
生産性向上としても、シェルター・トンネルハウスの完全ＩＴ制御型植物工場であるスマートアグリにすることにより、ハウス栽培への入力エネルギーとハウス栽培での消費エネルギー、および植物育成環境を総合的にマネージメントすることができるため、余分なエネルギーを消費する事がなく、最低のランニング・コストで高品質の植物を効率よく栽培する事ができる。更に人件費に於いても、栽培技術を標準化することにより、農業知識や農業経験の少ないパートやアルバイトの人も作業ができ、また労働環境も自動化で苛酷ではないため、高齢者や障害者による作業も可能で少子高齢社会による人口減の今後の日本の農業政策に最適で雇用拡大、コスト減、生産性向上が図れる。
【００２５】
このように、シェルター・トンネルハウスの植物工場であると、農業従事者の高齢化と過疎化の対策にもなる。また、冷夏や暖冬、台風などの季節、天候に左右されず、更に病原菌や害虫被害にあうこともなく、連作障害もないため、凶作もなく、高品質と高安全の野菜が、高い生産技術により周年生産で何時でも何処でも安定した価格で消費者に新鮮な地産地消の供給が可能になると共に、生産者の収入増加の効果もある。更に、農地での地下シェルター・トンネルハウス栽培では、地上でも同じ面積で植物栽培ができるので単位面積当たりの生産性が約２倍以上高くなるため、農地の少ない国のみでなく、人類にとっての食糧難問題に於いても世界的に貢献できる農業の革命的な発明である。なお、台風や竜巻等の自然災害時には避難のシェルターとしても利用できる。
【図面の簡単な説明】
【００２６】
【図１】地下シェルター・トンネルハウスＴ１での植物栽培の植物工場の一実施例を断面で明示したものである。
【図２】地下シェルター・トンネルハウスＴ１の植物工場の作り方の一実施例を示したものである。
【図３】露地栽培方式の地下シェルター・トンネルハウスＴ２の植物工場の一実施例を断面で示したものである。
【図４】地上シェルター・トンネルハウスＴ３の露地栽培の植物工場の一実施例を断面で明示したものである。
【図５】山岳シェルター・トンネルハウスＴ４の植物工場の一実施例を断面で明示したものである。
【図６】メガソーラーパネルによる日陰と無雨水のデッドスペースでの地下シェルター・トンネルハウスＴ１の植物栽培の植物工場の一実施例を断面で明示したものである。
【図７】放射能汚染地区での地下シェルター・トンネルハウスＴ１の植物栽培の植物工場の一実施例を断面で明示したものである。
【図８】放射能汚染地区での露地栽培方式の地下シェルター・トンネルハウスＴ２の植物工場の一実施例を断面で明示したものである。
【発明を実施するための形態】
【００２７】
以下、本発明の実施例を図１〜図８に基づいて詳細に説明する。なお、本発明の実施例に於ける植物工場とは、安全な食料の供給、食材の周年供給を目的とした、環境保全型の生産システムであり、施設内で植物の生育環境条件を人工制御して栽培を行う施設園芸のうち、環境及び生産のモニタリングを基礎として高度な環境制御と生育予測を行う事により、植物の周年供給計画が可能な栽培施設である。スマートアグリとは、農業とＩＴ技術を合わせた農業技術で植物工場に於いては最新のＩＣＴ（情報通信技術）を活用して天候チェック、種まき、栽培、収穫、出荷のスケジューリング等の基本的な事から、栽培環境の制御まで、今まで蓄積されてきた全ての農業経験をシステム化した大規模植物生産システム。シェルター・トンネルハウスとは、自然悪環境、人的悪環境、自然災害、人的災害、虫害、鳥害、獣害等を回避して影響を受けないトンネルハウスで地中とは限らない。シェルター・トンネルハウスＴに於ける露地栽培とは、人工土壌または腐葉土等の自然土壌を栽培基土とした露地培地により植物を生育する栽培方法で、主に大根、ニンジン、イモ、落花生などの根菜の栽培である。シェルター・トンネルハウスＴの植物栽培装置による栽培とは、水耕栽培または、人工土壌による葉野菜や果菜の栽培である（従来の野菜工場）。
【００２８】
図１は、平地の大地１にコンクリート枠２によって作られた独立地下シェルター・トンネルハウスＴ１による植物工場の一実施例を断面で示したものであり、栽培光源５である人工光、人工土壌・化学肥料・人工空気・培養液・人工環境（図示せず）の植物工場で、ＩＣＴ（情報通信技術）を使った完全ＩＴ制御管理システムのスマートアグリである。工場栽培植物３ａは左右に２段ある植物栽培装置４に植えられた多段栽培方式で、独立地下シェルター・トンネルハウスＴ１の面積当たりの生産効率を上げている。なお、工場栽培植物３ａの背丈等により、植物栽培装置４を棚状に複数段配置する・斜めに配置するなどによって、植物の大きさにあわせていろいろな種類の植物を栽培することが出来る。また、植物栽培装置４を植物の生長に合わせて自動移動や自動走行させることができる。地表Ｇには住宅、商店、商業施設、スポーツ施設、公園、高速道路、鉄道、畑、林、ゴルフ場等があってもよい。また河川、海や砂漠の地下であってもよい。
【００２９】
図２は、独立地下シェルター・トンネルハウスＴ１の植物工場の作り方の一実施例を示したもので、同図（イ）は、大地１に穴掘機６で穴Ｈを露天掘りしているところ。同図（ロ）は、穴Ｈにコンクリート枠２からなる独立地下シェルター・トンネルハウスＴ１を設置した断面図。同図（ハ）は、独立地下シェルター・トンネルハウスＴのコンクリート枠２に土（図示せず）を掛けて地表Ｇの大地１に独立地下シェルター・トンネルハウスＴ１を完成させた断面図である。本願の独立地下シェルター・トンネルハウスＴ１は、ビルディングのように高層的に縦展開されている植物工場を平面的にトンネル展開した植物工場であり、容易に作ることができる。なお、シェルター・トンネルハウスＴは規格化されたキットによる組み合わせでつくる事もできる。
また、岩盤や大地１の地盤が固くて掘ったトンネルが崩れない場合は、コンクリート枠２が無い素掘りの地下シェルター・トンネルハウスＴ１としてもよく、本願に含まれる。
【００３０】
図３は、シェルター・トンネルハウスＴに於ける露地栽培の植物工場の一実施例を断面で示したものであり、コンクリート枠２は天井と側面の壁のみで、大地１を栽培基土として電動トラクター７又は、無人耕作ロボット（図示せず）で耕して露地培地Ｒにして工場栽培植物３ａを露地植えした大地共用地下シェルター・トンネルハウスＴ２の植物工場である。栽培光源５は人工光、空気は人工空気、環境も人工環境で肥料と水は露地培地Ｒに供給されている。植物工場で人工土壌または、露地培地Ｒで工場栽培植物３ａを露地栽培としたのは、本願が初である。なお、大地１を栽培基土とせず、床面もコンクリート枠２にした図１の独立地下シェルター・トンネルハウスＴ１に於いて、栽培装置４を使わずに人工土壌または自然土壌を露地培地Ｒとして用いた露地栽培方法の植物工場にしてもよい。なお、地表Ｇは畑で大地１を床土として太陽光８による従来の露地栽培で地表栽培植物３ｂが植えられており、土地面積当たり２倍以上の収穫が得られる。
【００３１】
図４は、地上にコンクリート枠２を設けたシェルター・トンネルハウスＴに於いて独立地上シェルター・トンネルハウスＴ３の植物工場の一実施例を断面で示したものであり、人工土壌または自然土壌を露地培地Ｒとして電動トラクター７又は、無人耕作ロボット（図示せず）で耕して工場栽培植物３ａを露地栽培する独立地上シェルター・トンネルハウスＴ３の植物工場である。栽培光源５は人工光、空気は人工空気、環境も人工環境で肥料と水は露地培地Ｒに供給されている。なお、地上にあるため、太陽光の集光取入れドーム、太陽光導入シャフト、太陽光の散乱放出窓等の太陽光導入装置等で太陽光８と自然大気は容易に取り入れられるので、独立地上シェルター・トンネルハウスＴ３を自然光と自然環境による植物工場とすることもできる。また、コンクリート枠２の床面を無くして大地１を栽培基土とした露地培地Ｒによる独立地上シェルター・トンネルハウスＴ３の露地栽培もできる。
【００３２】
図５は、山岳地帯に於ける山岳シェルター・トンネルハウスＴ４の植物工場の一実施例の内部を断面で示したものであり、トンネル入り口の植物栽培台車９に作付けされた作付植物３ｃは、山岳シェルター・トンネルハウスＴ４内を生育計画に合わせて光、空気、温度、湿度、水等の環境や肥料を制御しながら自動走行で栽培する環境保全管理システムのスマートアグリで、トンネルの出口で収穫が出来る収穫植物３ｄとなり、トラック１０で出荷される。なお、図１の植物栽培装置４による栽培や図３の露地栽培も山岳シェルター・トンネルハウスＴ４内に於いて容易にできる。植物栽培等の植物工場に必要な電力は、山Ｙの斜面にソーラーパネル１１ａや山頂の風力発電１２の発電によって容易に得る事ができる。又は送電線の鉄塔１３から電気の供給を受ける事も出来る。植物栽培に必要な水は、ダム１４をつくる事により得られるが、地下水等も利用できる。なお、道路や鉄道の使われなくなったトンネルを山岳シェルター・トンネルハウスＴ４として活用できるが、特に炭鉱や鉱山のトンネルには鉄道、電気、空調設備、水があり、何十キロもの長さの廃坑は大規模の植物工場の要件を備えており、山岳シェルター・トンネルハウスＴ４として植物工場に有効活用する事ができる。
【００３３】
図６は、メガソーラーパネル１１ｂが設置されているため、地表Ｇが日陰と無雨水の状態でデッドスペースＤになっている大地１にコンクリート枠２でシェルター・トンネルハウスＴをつくり、植物栽培装置４で工場栽培植物３ａを栽培する独立地下シェルター・トンネルハウスＴ１の植物工場の一実施例を断面で示したものであるが、図３、図４の露地栽培、更に図５の生産計画に合わせた自動走行のスマートアグリも含まれる。地上は太陽光発電所、地下は植物工場として土地を有効活用したものであり、従来のビルディングの植物工場の屋上にソーラーパネルがある屋上と屋内の関係と地表と地下の関係で同じ構成である。植物栽培等の植物工場に必要な電力は、メガソーラーパネル１１ｂで発電した電気を使い、植物栽培に必要な水は、メガソーラーパネル１１ｂの降雨水を樋１５で集めて雨水管１６で農業用水溜池としての貯水池Ｗに溜めた雨水１７を使用することができる。この貯水池Ｗに溜めた雨水１７は、オーランチオキトリウム等の藻類の植物も栽培する事ができるため、石油生産の植物工場にもなる。更に、淡水魚や海水魚、或いは好適環境水で淡水魚と海水魚が同時に養殖する事ができ、デッドスペースＤの負の遺産よりプラス効果が大きく得られる自然資源を有効に使った独立地下シェルター・トンネルハウスＴ１の植物工場の関連施設である。
なお、高速道路や鉄道の地下のデッドスペースも同じように活用でき、本願に含まれる。
【００３４】
図７は、放射能汚染地域での独立地下シェルター・トンネルハウスＴ１の植物工場に於ける植物栽培の一実施例を断面で示したものであり、人工光（栽培光源５）、人工土壌、化学肥料、人工空気、培養液、人工環境の植物工場で、ＩＣＴ（情報通信技術）を使った完全ＩＴ制御管理システムのスマートアグリである。地上の空気中は放射線１８で汚染され、大地１の地中は放射性物質１９で汚染されていても独立地下シェルター・トンネルハウスＴ１内は、放射能を遮断するコンクリート枠２によって放射能が遮断されるため、植物栽培装置４で栽培されている工場栽培植物３ａは放射能汚染されない。
【００３５】
図８は、放射能汚染地域の大地共用地下シェルター・トンネルハウスＴ２内で露地栽培する植物工場の一実施例を断面で示したものであり、床部のコンクリート枠２は無く、大地１を栽培基土として電動トラクター７又は、無人耕作ロボット（図示せず）で耕して露地培地Ｒにして工場栽培植物３ａを植えるため、大地共用地下シェルター・トンネルハウスＴ２の栽培基土となる大地１が放射能汚染しないように放射性物質を吸着する放射性物質吸着剤２０からなる放射性物質吸着土壌材２１が放射性物質遮断層Ｓとして設けられている。大地１を汚染している放射性物質１９が放射性物質遮断層Ｓを通過するとき、放射性物質吸着土壌材２１の放射性物質吸着剤２０に吸着されて大地共用地下シェルター・トンネルハウスＴ２内の大地１は汚染されない。従って、大気は放射線１８で汚染され、大地１は放射性物質１９で汚染されても、大地１からの放射性物質１９は放射性物質吸着剤２０に吸着されて捕まり、大地共用シェルター・トンネルハウスＴ２内の露地培地Ｒは放射能汚染される事はないため、露地栽培しても工場栽培植物３ａは放射能汚染されない。放射性物質吸着剤２０としては、例えば公知であるゼオライトによりセシウムをイオン結合で吸着させることができる。放射性物質吸着土壌材２１としては、ゼオライトとパルプを混ぜてゼオライト・パルプ土壌とすることが出来る。
【符号の説明】
【００３６】
１      大地
２      コンクリート枠
３      植物
３ａ    工場栽培植物
３ｂ    地表栽培植物
３ｃ    作付植物
３ｄ    収穫植物
４      植物栽培装置
５      栽培光源
６      穴掘機
７      電動トラクター
８      太陽光
９      植物栽培台車
１０      出荷トラック
１１ａ    ソーラーパネル
１１ｂ    メガソーラーパネル
１２      風力発電
１３      送電線鉄塔
１４      ダム
１５      樋
１６      雨水管
１７      雨水
１８      放射線
１９      放射性物質
２０      放射性物質吸着剤（ゼオライト）
２１      放射性物質吸着土壌材（パルプ土壌）
Ｄ      日陰・無雨水デッドスペース
Ｇ      地表
Ｈ      穴
Ｒ      露地培地
Ｓ      放射性物質遮断層
Ｔ      シェルター・トンネルハウス
Ｔ１    独立地下シェルター・トンネルハウス
Ｔ２    大地共用地下シェルター・トンネルハウス
Ｔ３    独立地上シェルター・トンネルハウス
Ｔ４    山岳シェルター・トンネルハウス
Ｙ      山
Ｗ      農業溜池
【図１】
2016021879.tif 000003
【図２】
2016021879.tif 000004
【図３】
2016021879.tif 000005
【図４】
2016021879.tif 000006
【図５】
2016021879.tif 000007
【図６】
2016021879.tif 000008
【図７】
2016021879.tif 000009
【図８】
2016021879.tif 000010